(57)【特許請求の範囲】
【請求項１】
ソレノイドにより回転制御されるアシストカムで停止位置と記録・再生位置との間を移動されるヘッドベースを備えたロジック式カセットテープレコーダにおいて、前記ヘッドベースの動きに連動し摺動する制御部材を設け、この制御部材に前記テープレコーダの動作状態を検知する動作モード検知スイッチ作動部と、動作時にイジェクトレバーの働きを阻止する強制イジェクト阻止部と、リールの回転を止めるブレーキとを形成したことを特徴とするカセットテープレコーダのブレーキ機構。
【発明の詳細な説明】
【０００１】
【発明の属する技術分野】
本発明はリモートコントロール操作を含むロジック式カセットテープレコーダに係わり、より具体的にはヘッドベースに連動する制御機構に関する。
【０００２】
【従来の技術】
従来、テープレコーダの動作モードにおいて、モードスイッチによるヘッドベースの動作検出、動作休止時のリールブレーキ及び記録・再生動作中のイジェクト操作防止の三つの機能は、それぞれ独立した別々の機構で行っていた。例えば、動作休止モードと記録・再生モードとをそれぞれ図３及び図４に模式的に例示した従来のテープレコーダでは、特殊な形状のアーム１０３，１０４，１０５，１０６を四方に延在させているブレーキレバー１０２が旋回自在に支持され、スプリング１０７によって時計方向に付勢されている。ヘッドベース１０１の記録・再生位置への移動に伴って（矢印Ｆ）、第一連動アーム１０３の突片ｓはヘッドベース１０１の傾斜部ｔと係合し、斜面に沿って連動しながらブレーキレバー１０２を反時計方向に旋回させる（矢印Ｃ）。
【０００３】
ブレーキレバー１０２の第二の巻出リールブレーキアーム１０４と第三の巻取リールブレーキアーム１０５はそれぞれのリール軸１０８，１０９に同心で固定された歯車１１０，１１１に咬合してリール軸１０８，１０９にブレーキをかけて停止させる。このとき巻出側リールが停止を先行するように巻出リールブレーキアーム１０４には剛性をもたせ、巻取側リールは追随して停止するように巻取リールブレーキアーム１０５には弾力性を持たせてある。そして、第四の動作検出アーム１０６がモードスイッチ１１２を閉成してヘッドベース１０１が作動位置にあることを報知する信号を発する。
【０００４】
さらに、ヘッドベース１０１に咬合するイジェクトロックレバー１１３がヘッドベース１０１の移動に連動する。すなわち、ヘッドベース１０１が記録・再生動作位置に移動しているときは、イジェクトロックレバー１１３は時計方向に旋回して（矢印Ｋ）、プッシュ型イジェクトレバー１１４の下側に回り込み、イジェクトレバー１１４の下降動作（矢印Ｄ）を阻止する。このように、従来の機構では、モードスイッチ１１２操作兼用のブレーキレバー１０２とイジェクトロックレバー１１３の少なくとも２点以上を必要とする。１１５は記録・再生ヘッドで１１６は磁気テープの走行位置を示す。
【０００５】
【発明が解決しようとする課題】
このような機構は、ヘッドベース１０１の直線運動をブレーキレバー１０２やイジェクトロックレバー１１３の旋回運動という二次元の平面運動に変換してそれぞれを機能させている。そのためこれに伴って回転軸、支持部材、復帰バネ等の部品が付随し、旋回運動を拘束しない平面空間が必要となる。部品点数の増加は、部材そのもののコスト以外に品質管理、在庫管理、組立調整の手間などの経費の増大を招く。また平面空間の確保は、デッドスペース介入の可能性もあり、装置の小形化やデザイン上好ましくない。
【０００６】
そこで本発明は、旋回運動機構を含まない構成で、ブレーキ機構、モードスイッチ操作機構およびイジェクトレバー安全機構を構成して部品点数を削減し、省スペース化とコスト低減を目的とする。
【０００７】
【課題を解決するための手段】
上記目的の達成のために、本発明に係わるカセットテープレコーダのブレーキ機構は、ソレノイドにより回転制御されるアシストカムで停止位置と記録・再生位置との間を移動されるヘッドベースを備えたロジック式カセットテープレコーダにおいて、前記ヘッドベースの動きに連動し摺動する制御部材を設け、この制御部材に前記テープレコーダの動作状態を検知する動作モード検知スイッチ作動部と、動作時にイジェクトレバーの働きを阻止する強制イジェクト阻止部と、リールの回転を止めるブレーキとを形成した。
【０００８】
【発明の実施の形態】
本発明に係わるカセットテープレコーダのブレーキ機構の実施の形態を一実施例の図面に基づいて説明する。図１（ａ）は記録・再生ヘッド１２を磁気テープ１９に離接するヘッドベース１０と、動作モード検知スイッチ作動部材１４、強制イジェクト阻止部材１５およびブレーキ部材１６の三機能を備える制御部材１８との関係を説明する概略の平面図で、図１（ｂ）は一部を断面図示した概略の側面図である。図１において、ヘッドベース１０がテープから離間して休止位置Ｒにあり、テープ送受リール２０，２２が制御部材１８のブレーキ部材１６によってブレーキがかけられている状態を示す。
【０００９】
このとき、制御部材１８のブレーキ爪２４，２６はテープ送受リール２０，２２と同心で一体に固定されている歯車２８，３０の歯間に挟入して咬合する。ヘッドベース１０は、ヘッド面１１と反対側に位置する後縁の一部を折曲げて設けた突片３１を本体シャーシ３２に設けた直線溝３３に係合するとともに、本体シャーシ３２の切起し片３４にヘッドベース１０のヘッド面１１側に穿設した直線溝３５が係合して、記録・再生ヘッド１２が磁気テープ１９に接触する記録・再生位置Ｐ（図２参照）と、磁気テープ１９から離間した休止位置Ｒとの間を直線的に案内される。
【００１０】
この直線移動は、ヘッドベース１０と一体に形成されたカムフォロア３９がカム結合するシステムカムによって図示しない公知の手段で行われる。すなわち、制御された電磁作動でモータ駆動機構に連結して発停されるシステムカムがカムフォロア３９を駆動し、ヘッドベース１０を直線溝３３，３５に沿って直線移動する。
【００１１】
一方、制御部材１８は三箇所に直線溝３６が穿設されて、本体シャーシ３２の三箇所に立設した突起３７にそれぞれ嵌合し直線案内される。制御部材１８は引張スプリング３８によってヘッドベース１０に連結されて密着位置に付勢され、ヘッドベース１０の移動にともなって一体で連動する。しかしながら、制御部材１８は突起３７で拘束されても、引張スプリング３８が伸長するのでヘッドベース１０は制御部材１８に阻止されずに休止位置Ｒまで移動できる。この時ブレーキ機能によりリールはブレーキがかかっている。
【００１２】
ヘッドベース１０が記録・再生位置Ｐに移動するときは、先端部１３で制御部材１８を同一方向に押動するので、ブレーキ爪２４，２６が歯車２８，３０から離脱して、テープ送受リール２０，２２は自由に回転可能な状態となる。このとき制御部材１８の下方に突設したドグ４０で動作モード検知スイッチ作動部１４の操作片４２を押圧して電気接点４３を閉成しプレイモード中であることを報知する信号を発生させる（図２参照）。
【００１３】
一方、記録・再生ヘッド１２が記録・再生位置Ｐにあるプレイモード中に、故意にせよ過失にせよ、カセットデッキの扉（図示しない）が開く不測の事態が発生すると、装置の破損を招くので、自動的に安全機能が作動するように、制御部材１８の側方に延在するアーム４５が、強制イジェクト阻止部材１５として機能する。
【００１４】
すなわち、ヘッドベース１０が記録・再生位置Ｐにあるとき、カセットイジェクトのためにカセットデッキ（図示しない）を開扉操作する連動部材４６の移動経路（図１の矢印Ｅ参照）内に制御部材１８のアーム４５が進入して、開扉操作連動部材４６の移動を阻止するので、記録・再生中（プレイモード）にカセットデッキの開扉は不能となる。
【００１５】
つぎに、記録・再生ヘッド１２が磁気テープ１９から離間してヘッドベース１０が休止位置Ｒに直線的に後退すると、引張スプリング３８の張設により連結されている制御部材１８はヘッドベース１０に牽引されて追動しブレーキ位置に後退する。この動作で、制御部材１８と一体のドグ４０はスイッチ操作片４２から離脱して電気接点４３を開成し、プレイモード信号を停止する。また、制御部材１８から延在するアーム４５は、デッキ開扉操作連動部材４６の移動に干渉しない位置に後退するので、カセットデッキの扉を開いて、カセットの取出し交換を自由に行うことができる（図１参照）。
【００１６】
さらに、制御部材１８のブレーキ位置では、ブレーキ爪２４，２６がテープ送受リール２０，２２と一体の歯車２８，３０の歯間に挟入して咬合し、テープ送受リール２０，２２を強制的に停止させる。ブレーキ爪２４，２６は制御部材１８の外枠から内側に向けて延在する弾性部分５０，５１の先端に突設され、歯車２８，３０との咬合位置が両歯車の回転中心間で内側に偏倚させて方向付けされている。
【００１７】
すなわち、巻出側として回転している一方のテープ送受リール２０，２２に対しては、咬合している歯車２８，３０の歯間にブレーキ爪２４，２６が食込む方向に回転が作用する。また、巻取側として回転駆動される他方のテープ送受リール２０，２２に対しては、回転が咬合している歯車２８，３０からブレーキ爪２４，２６の逃げを許容する構成である。
【００１８】
このため、ブレーキ爪２４，２６はテープ送受リール２０，２２の巻出側には剛性的にブレーキがかかり、巻取側には弾性的にブレーキがかかるように作用して、テープ送受リール２０，２２が磁気テープ１９に張力をかけながら停止するように機能する。
【００１９】
【発明の効果】
以上説明したように、本発明に係わるカセットテープレコーダのブレーキ機構によれば、動作モード検知スイッチ作動、強制イジェクト阻止およびブレーキの三機能を一つの制御部材だけで達成できるように構成したので、部品点数およびコストが削減され、部品管理が容易になる。
【図面の簡単な説明】
【図１】本発明に係わるカセットテープレコーダのブレーキ機構が機能している休止状態の概略の説明図で（ａ）は平面図、（ｂ）は側面図である。
【図２】本発明に係わるカセットテープレコーダのブレーキ機構が解放されている記録・再生状態の概略の説明図で（ａ）は平面図、（ｂ）は側面図である。
【図３】従来のカセットテープレコーダのブレーキ機構が機能している休止状態を説明する模式的平面図である。
【図４】従来のカセットテープレコーダのブレーキ機構が解放されている記録・再生状態を説明する模式的平面図である。
【符号の説明】
１０        ヘッドベース
１２        記録・再生ヘッド
１４        動作モード検知スイッチ作動部材
１５        強制イジェクト阻止部材
１６        ブレーキ部材
１８        制御部材
２０，２２  テープ送受リール
２４，２６  ブレーキ爪
２８，３０  歯車
３８        引張スプリング
４３        電気接点
４５        アーム
【図１】
0003963056.tif 000002
【図２】
0003963056.tif 000003
【図３】
0003963056.tif 000004
【図４】
0003963056.tif 000005